(57)【特許請求の範囲】
【請求項１】
商品に表示されているその価格を変更するためにこの商品に貼り付ける価格変更ラベルであって、透明な基材から構成したラベル本体と、このラベル本体の表面領域を略半分に分割して形成し、互いに隣り合う変更表示領域および透視領域と、を有し、この変更表示領域の表面には前記価格の前記変更を表示可能とするとともに、前記透視領域には、網点を５〜３５％に形成し、半透明としたことを特徴とする価格変更ラベル。
【請求項２】
前記商品には、前記価格とともに、前記価格に関する価格関連情報を光学読み取り可能な
光学読取り表示部を表示しており、前記透視領域は、この光学読取り表示部を被覆可能とすることを特徴とする請求項１記載の価格変更ラベル。
【請求項３】
前記商品には、前記価格とともに、前記価格に関する価格関連情報を目視可能な価格関連情報表示部を表示しており、前記透視領域は、この価格関連情報表示部を被覆可能とすることを特徴とする請求項１記載の価格変更ラベル。
【請求項４】
前記透視領域の前記網点は、波長が４００〜６００ｎｍの色によりこれを形成したことを特徴とする請求項１記載の価格変更ラベル。
【請求項５】
商品に表示されているその価格を変更するためにこの商品に貼り付ける価格変更ラベルの
貼付け方法であって、当該価格変更ラベルは、透明な基材から構成したラベル本体と、このラベル本体の表面領域を略半分に分割し、互いに隣り合う変更表示領域および透視領域と、を有し、この変更表示領域の表面には前記価格の変更を表示可能とするとともに、前記透視領域には、網点を５〜３５％に形成し、半透明とし、前記透視領域の部分を前記商品に表示されている表示部に重ね合わせるように貼り付けることを特徴とする価格変更ラベルの貼付け方法。
【請求項６】
前記表示部は、前記価格に関する価格関連情報を光学読み取り可能な光学読取り表示部であることを特徴とする請求項５記載の価格変更ラベルの貼付け方法。
【発明の詳細な説明】
【技術分野】
【０００１】
本発明は価格変更ラベルおよびその貼付け方法にかかるもので、とくに商品に表示されているその価格を変更するための価格変更ラベルおよびその貼付け方法に関するものである。
【背景技術】
【０００２】
従来の価格変更ラベルおよびその貼付け方法について、図５および図６にもとづき概説する。
図５は、従来の価格表示ラベル１および価格変更ラベル２の平面図である。
価格表示ラベル１は、その表面の表示部３に、品名表示部４と、価格表示部５と、バーコード表示部６（光学読取り表示部、価格関連情報表示部）と、ヒューマン表示部７（価格関連情報表部）と、を画成しており、それぞれ必要な情報を印字表示している。
なお、これらの表示情報は、商品の種類によっては、価格表示ラベル１を用いて、あるいは用いずに、その包装容器などの表面に直接印刷されている場合もある。
【０００３】
バーコード表示部６は、バーコードや二次元コードその他の光学読み取り可能な記号を表示した光学読取り表示部であって、具体的には商品およびその価格に関する管理番号や、その他の価格関連情報を表示する価格関連情報表示部である。
ヒューマン表示部７は、一般的には価格表示ラベル１の下方部に形成されていることが多く、バーコード以外の文字や記号であって、人が視認可能な文字や記号により、たとえば小売り店の店名やその住所および商品の内容その他、消費期限、加工日、内容量、加工者、販売店など、必要に応じて各種の価格関連情報を表示する価格関連情報表示部である。
【０００４】
価格変更ラベル２は、上記価格表示ラベル１により商品に表示されているその価格を変更するためにこの商品に貼り付ける、通常は値下げラベルである。
すなわち価格変更ラベル２は、値下げ価格表示部８と、バーコード表示部６の表示内容に変更がある場合にその変更内容に対応するバーコードを表示した変更バーコード表示部９と、を画成しており、それぞれ必要な情報を印字表示している。
【０００５】
図６は、価格変更ラベル２を価格表示ラベル１の一部に貼り付けた状態を示す平面図であって、価格変更ラベル２により価格表示ラベル１の価格表示部５を変更することを表示している状態を示している。
しかしながら、どの程度の値下げであるかを明示するために価格表示部５の表示内容は顧客が目視可能なように、価格変更ラベル２によりこれを覆うことなく残存させることが必要である。
また、レジにおいて担当者がバーコード表示部６の内容を読み取らないように、すなわち、変更バーコード表示部９の内容を読み取るように、一般的には、バーコード表示部６の少なくともそのバーコードの一部を隠蔽するように価格変更ラベル２を貼り付けることが望ましい。
【０００６】
この価格変更ラベル２を貼り付ける際に、図示のように、価格表示ラベル１の下方部に位置するヒューマン表示部７の部分まで被覆されてしまって、その表示内容を確認することが困難な場合があるという問題がある。
とくに、食品関係の商品については、ＪＡＳ法によりヒューマン表示部７の表示が義務付けられていて、価格変更ラベル２を貼り付けてもヒューマン表示部７の表示内容を目視可能に残存させる必要がある。
しかして、価格表示ラベル１に価格変更ラベル２を貼り付けるために十分な面積を有する領域を特別に設けることは、価格表示ラベル１の大型化を招き、コストアップになりかねないという別の問題がある。さらに、ヒューマン表示部７が表示する小売り店の店名やその住所および商品の内容その他、消費期限、加工日、内容量、加工者、販売店など各種の価格関連情報を価格表示ラベル１の上方部に位置させることも考えられるが、価格表示ラベル１としては、品名表示部４および価格表示部５を顧客の目に付く上方部に位置させることが望ましく、なによりも品名表示部４あるいは価格表示部５が価格変更ラベル２により覆われることは論外である。
また、価格が値下げされていることを顧客にアピールするために、値下げ価格表示部８を価格表示部５に隣接した位置に並列させる必要があり、価格表示部５に対して斜めに貼り付けることは避けなければならず、バーコード表示部６を隠すように貼り付けると、ヒューマン表示部７の一部を隠さざるを得ないという問題がある。
なお、特許文献１のように、一度貼り付けた価格変更ラベル２を剥離可能とするものもあるが、ヒューマン表示部７の表示内容を確認するためにいちいち価格変更ラベル２を剥がすことは面倒であるとともに、顧客による価格変更ラベル２の不正貼替えという別の問題も生じかねない。
【０００７】
【特許文献１】特開２００１−２１５０３９号公報
【発明の開示】
【発明が解決しようとする課題】
【０００８】
本発明は以上のような諸問題にかんがみなされたもので、価格表示ラベルの必要な表示部は目視可能に残しつつ、必要な値下げ表示などを行うことができる価格変更ラベルおよびその貼付け方法を提供することを課題とする。
【０００９】
また本発明は、価格変更ラベルを価格表示ラベルに貼り付けても、この価格変更ラベルを剥がすことなく、価格表示ラベルの必要な表示部分は視認可能とすることができる価格変更ラベルおよびその貼付け方法を提供することを課題とする。
【００１０】
また本発明は、価格表示ラベルのバーコード表示部と価格変更ラベルの変更バーコード表示部とを混同しないようにすることができる価格変更ラベルおよびその貼付け方法を提供することを課題とする。
【００１１】
また本発明は、価格表示ラベルの価格関連情報表示部（バーコード表示部）におけるバーコードなどの光学的読取りを不可能とし、他の価格関連情報表示部（ヒューマン表示部）の目視による確認は可能とする価格変更ラベルおよびその貼付け方法を提供することを課題とする。
【課題を解決するための手段】
【００１２】
すなわち本発明は、ラベル本体を透明な基材から構成すること、および、価格表示ラベルのバーコード表示部などの価格関連情報表示部に被覆する価格変更ラベルに網点を設けて光学的読取りは不可能とする一方、この網点を透過して人間の目視による必要な表示部（ヒューマン表示部など）の読取りは可能とすることに着目したもので、第一の発明は、商品に表示されているその価格を変更するためにこの商品に貼り付ける価格変更ラベルであって、透明な基材から構成したラベル本体と、このラベル本体の表面領域を略半分に分割して形成し、互いに隣り合う変更表示領域および透視領域と、を有し、この変更表示領域の表面には上記価格の上記変更を表示可能とするとともに、上記透視領域には、網点を５〜３５％に形成し、半透明としたことを特徴とする価格変更ラベルである。
【００１３】
上記商品には、上記価格とともに、上記価格に関する価格関連情報を光学読み取り可能な光学読取り表示部を表示しており、上記透視領域は、この光学読取り表示部を被覆可能とすることができる。
【００１４】
上記商品には、上記価格とともに、上記価格に関する価格関連情報を目視可能な価格関連情報表示部を表示しており、上記透視領域は、この価格関連情報表示部を被覆可能とすることができる。
【００１５】
上記透視領域の上記網点は、波長が４００〜６００ｎｍの色（紫、紺や青、緑など）によりこれを形成することができる。
【００１６】
第二の発明は、商品に表示されているその価格を変更するためにこの商品に貼り付ける価格変更ラベルの貼付け方法であって、当該価格変更ラベルは、透明な基材から構成したラベル本体と、このラベル本体の表面領域を略半分に分割し、互いに隣り合う変更表示領域および透視領域と、を有し、この変更表示領域の表面には上記価格の変更を表示可能とするとともに、上記透視領域には、網点を５〜３５％に形成し、半透明とし、上記透視領域の部分を上記商品に表示されている表示部に重ね合わせるように貼り付けることを特徴とする価格変更ラベルの貼付け方法である。
【００１７】
上記表示部は、上記価格に関する価格関連情報を光学読み取り可能な光学読取り表示部であることができる。
【発明の効果】
【００１８】
本発明による価格変更ラベルおよびその貼付け方法においては、価格表示ラベルにおけるバーコード表示部などの価格関連情報表示部に被覆する価格変更ラベルに網点を設けて、バーコードなどにおけるとくに白バー（スペース）に対するレーザー光の反射率のコントラストを黒バーに比較して相対的に低下させて光学的読取りは不可能とし、人間の目視による読取りは可能としたので、価格表示ラベルのバーコード表示部あるいはヒューマン表示部などの部分に価格変更ラベルを貼り付けても、バーコード表示部あるいはヒューマン表示部などの価格関連情報表示部を人間は読み取ることができるとともに、バーコードとして目視はできても光学的な読取りは行うことができず、レジにおいてバーコードスキャナーなどにより光学読取り操作を行う際に、価格表示ラベルのバーコード表示部と価格変更ラベルの変更バーコード表示部とを混同することはなく、値下げ処分の勘定を円滑に行うことができる。
【００１９】
とくに第一の発明の価格変更ラベルによれば、値下げ価格などを表示する変更表示領域の表面には価格の変更を表示可能とするとともに、透視領域には、網点を５〜３５％に形成したので、価格表示ラベルの光学読取り可能な価格関連情報表示部を光学的に十分に被覆してバーコードスキャナーなどによる光学的な読取りを不可能とすることができるとともに、目視可能な価格関連情報表示部であってもこれを貼り付けることができる。
【００２０】
とくに第二の発明の価格変更ラベルの貼付け方法によれば、網点を形成した透視領域の部分を商品に表示されている表示部に重ね合わせるように貼り付けることとしたので、価格表示ラベルのヒューマン表示部にそれほど注意を払うことなく、バーコード表示部に注意を集中して価格変更ラベルを貼り付けることができ、値下げ作業を円滑に行うことができる。
【発明を実施するための最良の形態】
【００２１】
本発明は、透明な基材から構成した価格変更ラベルの透視領域に網点を形成するようにしたので、この透視領域により覆われた価格表示ラベルの部分、たとえばバーコードその他の光学読取り可能な記号を光学的には読み取ることを抑制するとともに、この覆われた部分に表示されている内容を人間の目視によって視認することができる価格変更ラベルおよびその貼付け方法を実現した。
【実施例】
【００２２】
つぎに本発明の実施例による価格変更ラベル１０およびその貼付け方法を図１ないし図４にもとづき説明する。ただし、図５および図６と同様の部分には同一符号を付し、その詳述はこれを省略する。
図１は、価格変更ラベル１０の平面図、図２は、図１のＩＩ−ＩＩ線断面図であって、価格変更ラベル１０は、透明なＰＥＴその他の基材から構成したラベル本体１１と、ラベル本体１１の裏面側の透明な粘着剤層１２と、ラベル本体１１の表面側の表面領域１３と、を有し、剥離剤層を有する台紙１４の表面側に仮着可能としている。
【００２３】
表面領域１３は、これを所定割合に分割して互いに隣り合う変更表示領域１５および透視領域１６を形成している。この分割の割合は、図示の例ではほぼ半分としているが、変更表示領域１５および透視領域１６の表示内容量および透視領域１６の貼付け機能を考慮して選択可能である。
なお、図示の例では、変更表示領域１５および透視領域１６が互いに横並びになっている構成を示したが、価格表示ラベル１あるいは価格変更ラベル１０の表示レイアウトに応じて、変更表示領域１５および透視領域１６を縦並びに隣接させるようにすることもできる。
【００２４】
変更表示領域１５の表面には光に対する反射率の高い地色（通常は白インキによる白色印刷）を形成して、値下げ価格やその内容に関連したバーコードなど、価格の変更を表示可能とする。もちろん、この変更表示領域１５にバーコードを印字しなければ、白色など光に対する反射率の高い地色とする必要はない。
【００２５】
透視領域１６には、５〜３５％の網点１７（たとえば３０％の網点）を形成して半透明とする。
なお、網点１７とは、細かい点を所定密度で印刷することにより、その下層側に積層位置する表示内容について、これを透かしてみることができるような、逆に言えばこれを透かして見にくくするような所定の半透明度ないしは被覆効果を得るようにするものである。
【００２６】
図５に示すように、商品には、価格表示部５とともに、商品に関する価格関連情報を表示する光学読み取り可能なバーコード表示部６（光学読取り表示部）を表示しており、透視領域１６は、このバーコード表示部６の少なくとも一部を被覆可能として、レジにおいてバーコード表示部６のバーコードを読み取ることによる値下げ処理の誤りを回避可能とする。
【００２７】
透視領域１６の網点１７は、波長が４００〜６００ｎｍの色（紫、紺や青、緑など）によりこれを形成することが望ましい。
すなわち図３は、レーザー光の波長に対する反射率のグラフであって、一般的にバーコードの光学読取りに使用されている半導体レーザーは、波長６５０ｎｍの可視光が使用されており、このグラフから明らかなように、価格表示ラベル１として地色が反射率の高い白色が一般的であるとき、そのバーコード表示部６におけるバーコードは、一般的に、白と反射率のコントラストが大きな黒、あるいは波長が４００〜６００ｎｍの色である紫、青や紺あるいは緑などで印刷されていることが多く、波長が４７０〜６００ｎｍ近傍の黄、橙、赤などの色は使用されていない。
換言すれば、紫、青や紺あるいは緑などの色は、白地に対して黒と同様にバー（黒バー）としてみなされ、一方、黄、橙、赤などの色は、白地に対してスペース（白バー）としてみなされることになる。
【００２８】
したがって、透視領域１６の網点１７を波長が４００〜６００ｎｍの色によりこれを形成し、その網点１７を５〜３５％とすれば、価格表示ラベル１のバーコード表示部６は光学的には白地の反射率が５〜３５％分だけ低下し、バーコードにおけるバーとスペースとの間のコントラストが低下する結果、ＰＣＳ（Ｐｒｉｎｔ  Ｃｏｎｔｒａｓｔ  Ｓｉｇｎａｌ）値が相対的に低下する。
なお、ＰＣＳ＝（スペースの反射率−バーの反射率）／スペースの反射率、であって、この値が７０％を下回るとバーコードとしての光学読取りが不可能となる。
このＰＣＳ値の低下によってバーコードを光学的に読み取ることが不可能となる一方、網点１７が５〜３５％であるので、人間の目にはバーコード表示部６およびその近傍のヒューマン表示部７を十分に読み取ることができる。
もちろん、バーコードなど光学読取り記号については、その地色、読取りレーザー光の波長に応じて、透視領域１６の網点１７の色を選択することができる。
【００２９】
こうした構成の価格変更ラベル１０を使用するにあたっては、その透視領域１６の部分を商品に表示されている表示部（バーコード表示部６）に重ね合わせるように貼り付ける。
図４は、価格変更ラベル１０を価格表示ラベル１に貼り付けた状態を示す平面図であって、とくに価格変更ラベル１０の透視領域１６を価格表示ラベル１の少なくともバーコード表示部６におけるバーコードや二次コードの少なくとも一部あるいは全部、およびヒューマン表示部７の部分を覆うように貼り付けている。
なお、価格変更ラベル１０は、価格表示ラベル１の価格表示部５の価格表示を変更することがその第一義的な機能であり、したがって、その値下げ価格表示部８を価格表示部５に隣接した位置に並列させて、価格が値下げされていることを顧客が簡単に視認することができるように貼り付ける必要がある。とくに値下げ価格表示部８のヒューマン文字が価格表示部５の表示内容に対して逆さまであったり、９０度回転して貼り付けることがないようにする。
【００３０】
透視領域１６は、人の目による目視では半透明であり、ヒューマン表示部７に表示されている、たとえば店名やその住所および商品の内容その他の価格関連情報を確認することができる。
一方、バーコード表示部６のバーコードなどをバーコードスキャナーなどの光学読取り器（図示せず）により読み取る際には、網点１７を施された透視領域１６がバーコードの上に被覆されているため、この部分のＰＣＳ値が相対的に低下し、レジにおいては、価格表示ラベル１のバーコード表示部６におけるバーコードを読み取ることができず、すなわち変更前のバーコードなどを誤って読み取ることなく、価格変更ラベル１０の変更表示領域１５におけるバーコードを読み取り、適正な値下げ処理を行うことができる。
【００３１】
さらに、商品の顧客に対しては、価格表示ラベル１が表示する、バーコード表示部６およびヒューマン表示部７の部分を含む全体の表示部分を目視可能として隠蔽する部分がないので、値下げ処理を目立たせることができる。
【図面の簡単な説明】
【００３２】
【図１】本発明の実施例による価格変更ラベル１０の平面図である。
【図２】同、図１のＩＩ−ＩＩ線断面図である。
【図３】同、レーザー光の波長に対する反射率のグラフである。
【図４】同、価格変更ラベル１０を価格表示ラベル１に貼り付けた状態を示す平面図である。
【図５】従来の価格表示ラベル１および価格変更ラベル２の平面図である。
【図６】同、価格変更ラベル２を価格表示ラベル１の一部に貼り付けた状態を示す平面図である。
【符号の説明】
【００３３】
１  価格表示ラベル（図５）
２  価格変更ラベル（値下げラベル）
３  表示部
４  品名表示部
５  価格表示部
６  バーコード表示部（光学読取り表示部、価格関連情報表示部）
７  ヒューマン表示部（価格関連情報表部）
８  値下げ価格表示部
９  変更バーコード表示部
１０  価格変更ラベル（実施例、図１）
１１  ラベル本体
１２  粘着剤層
１３  表面領域
１４  台紙
１５  変更表示領域
１６  透視領域
１７  網点  
【図１】
0004769099.tif 000002
【図２】
0004769099.tif 000003
【図３】
0004769099.tif 000004
【図４】
0004769099.tif 000005
【図５】
0004769099.tif 000006
【図６】
0004769099.tif 000007